(57)【要約】      （修正有）【課題】従来、パイプ、杭、棒、鋼材等の地面への打込みは、下穴を開けた後に立てているため、その作業の目的からすれば余計な手間が係っており問題である。又、打込むべき部材自体の先端を叩き打込むやり方では、部材自体の変形等損傷させる危険を生じさせていて問題であり、加えて、先端方向が曲がっていたり、アーチ形状な物や直軸でない物は叩くことすらできず最良な打込み方法がなく問題であった。【解決手段】上記部材を地面へ打込んだり、縦、横、斜め方向等への繋ぎ作業をする場合に、曲軸やアーチ形状な部材等、又、直軸であっても部材自体の先端を叩かずに部材の適度な位置に於いて掛り具を固着させ、その掛り具を叩くことで部材を損傷することなく、あらゆる方向へ部材を打込むことに加え、楔を掛り筒に付け替えることで、同形の外径種類の異なる部材の作業も容易に行なえ、解体や抜く行為にも使用可能とする。【選択図】図１
2004270422.tif 000002
【特許請求の範囲】
【請求項１】
打込む物事とする杭、丸棒、辺有棒、丸パイプ、辺有パイプ鋼材等の外縁とに、間隙を保持させたまま内部テーパー状の楔型掛り具の掛り筒を被せ、物事の外縁と掛り筒との間隙に楔を打込むことで、物事の杭、棒、パイプ、鋼材等の外縁と掛り筒とを固着させ、その経過後、より楔を打込むことで固着させた杭、棒、パイプ、鋼材等が一体動する事態を利用し、杭、丸棒、辺有棒丸パイプ、辺有パイプ等を地面に打込むことを可能とし、又、その物事の打込む方向を逆さ、横、斜め等も可能とし、パイプ等の繋ぎ作業や抜く行為等に使用することも可能とした楔型掛り具とその打込み具。
【請求項２】
楔型掛り具の掛り筒を縦二分割し、その双方の片方の分割片を蝶番で連結し、掛り筒が蝶番状態に開閉する構造を有させ、双方のもう一方の分割片に管を設け、この管に落とし棒を抜刺しする構造を有させた請求項１の楔型掛り具とその打込み具。
【請求項３】
楔型掛り具の掛り筒の胴体に縦穴溝を有させ、この穴に傘棒を貫通して楔と連結し、掛り筒の縦穴溝に傘棒の傘が引っ掛かることで、掛り筒が楔を一体作動可で捕らえ、その状態下、傘棒の軸が縦穴溝の範囲内で作動させれる構造に於いて、傘棒と一体化させた楔の打込み作動を可能とした構造を有させた請求項１、２の楔型掛り具とその打込み具。
【請求項４】
楔型掛り具の掛り筒に蝶番を支点とし、バネを保持した鋏状の握り手棒を有させ、その握り手棒を鋏様握りすることで、一体化させた掛り筒の開閉を可能とした構造を有させた請求項１、２、３の楔型掛り具とその打込み具。
【請求項５】
二分割した打込み具の胴筒の双方の片方を蝶番にし、その双方の胴筒間で蝶番に伴するためのバネを保持させ、その胴筒を外部から手動等でその内部の物事の杭、棒、パイプ等の外縁とに間隙を置いた状態に掌握することを可とし、その物事に固着させた楔型掛り具に対して、物事の部材に添わせ胴筒をピストン様作動させ楔を打つことにより、物事の部材を打込む方向へ作動させることを可能とし、胴筒外部からの掌握力を緩めることで胴筒の蝶番状態はバネの力で開く構造を有させた楔型掛り具とその打込み具。
【請求項６】
打込み具の胴筒の両端にウエート塊を有させ、そのウエート塊の片方の内部に楔の外縁から間隙を有した空間筒部構造を保有させ、楔打込み側のウエート塊で打込み完了後打込み具を逆さにし、掛り筒をその空間筒部保有側ウエート塊で打つことで、楔と物事の固着を緩めることを可能とした構造を有させた請求項５の楔型掛り具とその打込み具。
【発明の詳細な説明】
【０００１】
【産業上の利用分野】
本発明は園芸用パイプ等ハウスの構築、解体や杭類の打込み、打ち抜き作業、及び、鋼材類の打込み、又、抜き作業等で利用可能とする工具に係るものである。
【０００２】
【従来の技術】
従来は、特にパイプハウスのパイプ、他では杭、角丸棒パイプ、鋼材等の部材の繋ぎ作業や打込みや解体作業等に伴し、打込みでは部材自体外の工具や機械で穴を開けた後、その穴にパイプ、杭、棒、鋼材等を差込んだ後、埋め戻しして構築しているものである。
【０００３】
又、打込みでは、従来、物事の部材の先端を叩くことでパイプ、杭、棒、鋼材等を地面や対象物に打込んでいるものである。
【０００４】
部材自体を打撃するやり方は、最長な部材や直軸でない部材、又、アーチ形状部材の先端を叩けないので打込み不可である。
【０００５】
従来、打込む具に類するもので蝶番開閉型の打込み具は存在していないものである。
【０００６】
【発明が解決しようとする課題】
物事の打込み、抜き作業に於いて部材であるパイプ、棒、杭、鋼材等自体を打撃するのと異にし、変形等の損傷を発生させず打込みすることを可能とする方法を用いることを実現する。
【０００７】
物事のパイプ、棒、杭、鋼材等の最長な物や、直軸でない形状物、代表的なアーチ形状部材でもその打込みや解体を可能とする。
【０００８】
最少人数で物事を実現できる構造を工具に持たせたり、工具を組合わすことで手間が係らずに事態が遂行できるようにする。
【問題を解決するための手段】
【０００９】
【作用】
楔型の掛り具を物事のパイプ、棒、杭、鋼材等に掌握後、軽く楔を叩き軽く固定し、次に、打込み具等で楔を強く打ち、物事に掛り具を楔で固着させ、その経過後、さらに、楔を打てばそれ以上楔は動かずに固着された物事のパイプ、棒、杭、鋼材等が楔型掛り具と同作動して地面等目的とする物に打込まれる。そして作業完了後、掛り筒自体のみ打込み具などで叩く方法により、楔との固着を緩めた後、掛り筒開閉部の管に差し込んだ落とし棒を抜き楔型掛り具を外し作業の完了とする。
【００１０】
上述のパイプ、棒、杭、鋼材等の抜く作業に於いて、楔型掛り具を逆方向へ装着し、同じ様に逆の打込み動作を加えてその抜く作業を実現するものである。
【００１１】
【発明実施の形態】
発明実施の形態について図面を参照し説明する。
物事である丸パイプ８、角パイプ１２、Ｈ鋼６３の各形態は、杭、棒、鋼材等の部材でこれ類する形状物にも同様な形態であることとし、又、同種類の外径の異なる部材に対しては、楔の種類を傘棒を外して付替えることで対応可能とするものである。
又、楔型掛り具の１、１０、６０の其々は、其々の掛り筒をも示している。
【００１２】
１図は丸パイプ８に対した丸楔型掛り具１の固着前状態の斜視図であるが、二片から構成する丸掛り筒１は蝶番３により、２図に示すように開閉自在にして、その二片両端で管６を有しており、５図に示すように丸パイプ８を中にして閉じた後落とし棒７を刺して合体完了とした後固着を可能としている。
【００１３】
１図で示すように、丸掛り筒１の胴体に縦穴溝５を有させ、この穴に傘棒４を貫通させ、丸楔２とネジ連結し、縦穴溝５の範囲で矢印のように傘棒４と同作動可能として丸楔２が打込まれる動作に対し作動するよう構築している。
【００１４】
３図で示すように、角パイプ１２に角楔型掛り具１０の固着前の装着を表してあるが、４図に示すように丸楔型掛り具１と同じ方法により、蝶番３で角掛り筒１０を開閉自在としており、双方の端に管６を有させ、６図で示すように角パイプ１２を中にして閉じれば管６に落とし棒７を刺して合体完了後固着を可能としている。
【００１５】
３図で示すように、角掛り筒１０の胴体角片に縦穴溝５を有させ、これに傘棒４を貫通させ角楔１１とネジ連結し、縦穴溝５の範囲で矢印のように傘棒と同作動可能として角楔１１が矢印のように打込まれる動作に対し作動するよう構築している。
【００１６】
１０図は打込み具３０の斜視図であるが、丸パイプ８を中にした打込み可能状態を表してある。１１図で示すように、打込み具３０の胴筒を二分割しており、その双方の蝶番穴３７に蝶番軸３６を貫通させビス３５で蝶番を構築しており、蝶番を中心にして両片をバネ３９で開口状態で保持させている。
【００１７】
１１図で示すように、開口状態の打込み具３０の胴筒を手４０で握り、丸パイプ８を中にして、矢印の方向に閉じると１２図のようになり、その状況下、丸パイプ外縁と打込み具３０の胴筒内縁とに間隙を保持させてあることで、丸パイプの外縁に添わせて打込み具３０を矢印の如くピストン様作動させることを可能としており、４図で示すように丸楔型掛り具１の丸楔２を矢印のように手４０の力で打てば固着された丸パイプ８は地面４３へ破線矢印のように打込まれる。
【００１８】
１３図で示すように、固着した其々の楔型掛り具１、１０、６０を緩める場合打込み具３０を逆さにし、予め有させたウエート塊３３に有させた空間筒部３４内に楔を吸収して交わし、ウエート塊３３で掛り筒１を例にするように、其々の掛り筒１０、６０も矢印状対に打撃し、丸楔２を例にするように其々の楔１１、６２は破線矢印方向に不動の力を働かせることで固着を緩める作業を実現するものである。
【００１９】
１６図では、手作業では困難な物事の打込み部材８に対して、建設機械５０による打込みの実現を表しているが、掛り具１に建設機械５０用に別途に設けたフックにワイヤー５２で建設機械５０の打込みバー５１のフック５５で吊しておりその作業では、ワイヤーで吊るした掛り筒１を開口して打込み部材８に装着、次に落とし棒７を刺して合体完了後、軽く丸楔２を叩き掛り具１を部材８に仮固定し、次に、１７図に示す打込みバー５４の穴部で打込み部材８を挟み抱え込む動作により丸楔２への接触打撃の工程を可とし、建設機械５０を人５３の操作で打撃を加えて地面４３への打込みを可能としている。
【００２０】
上述の経過後、掛り具１を緩め外す場合は１７図の掛り筒のみ打つバー５１で掛り筒を打撃し、１３図と同様な効果から緩めを可能とするものである。
【００２１】
１５図では抜く作業に於いて、手作業の場合は地面４３に座板４４から立てた柱４５に添わせたスライドバー４６で其々の楔型掛り具に引っ掛けウインチ４９で滑車４８を介してワイヤーで巻き上げ、矢印の方向に抜くことを可能としている。
建設機械の場合でも、打込みバーを楔型掛り具の下にあてがい、機械操作で抜くことが可能である。
【００２２】
９図では、先述の手作業の行為を容易くさせるため、握り棒付楔型掛り筒２０の蝶番３を支点とし、鋏み状態の握り棒２１を有させ、その双方の握り棒２１を介するバネ２２により矢印のように閉じることを可能としている。
【００２３】
８図で示すように、閉じれば５図同様にして落とし棒７で合体後固着可能とするものである。
【００２４】
１８図、１９図では、Ｈ鋼６３での楔型掛り具６０を表しているが、Ｈ鋼６３の二面を二片楔６２で固着を可能としたものである。
【００２５】
【発明の効果】
本発明は、角丸パイプ、角丸棒、杭、鋼材等の部材で同種類の外径の異なる場合も、傘棒を外し楔を交換することで対応することも可能であり、楔が部材の外縁を平均面的に固着させる構造のため、部材自体を損傷することなく作業を実現する効果を奏するものである。
【００２６】
最長な部材やアーチ形状材等のような直軸でないパイプ類、棒類、鋼材類等で先端を打つことができない場合でも、その部材の適度な位置で横から掛り具の固着を可能としたもので、上述の部材全般で打込みを可能する効果を奏する。
【００２７】
従来、作業工程である構築のための下穴開け作業等は必要なく、手間が省ける効果に加え、手作業の場合では一人でアーチ形状パイプも容易く打ち立てられる効果も奏する。
【００２８】
又、掛り具に鋏み様形式の握り棒を有させた場合では固着が容易であり、加えて、本、打込み具と併用すれば作業工程は一層容易い効果を奏するものである。
【００２９】
手作業で困難な打込み部材では、建設機械や建設工具、装置等でも利用可能とするもので、従来の材料自体の先端を打つ作業の場合では、最長な部材では、大係な装置や設備を要しており、相当高い位置から打込む必要があったが、本発明では最長なものでも、最も下部で、本、楔型掛り具を固着できるため打込み作業が簡単であり、従来のような大がかりな装置設備を必要とせず安価な機械や装置で打込みが実現できる効果を奏するものである。
【図面の簡単な説明】
【１図】丸楔型掛り具をパイプ８に固着させる斜視図である。パイプと掛り具の装着部はパイプの外線のみを示してある。
【２図】１図の固着前の平面図である。動きを矢印で示してある。
【３図】角楔型掛り具を角パイプ１２に固着させる斜視図である。
【４図】３図の固着前の平面図である。
【５図】２図の状態から閉じた平面図である。
【６図】５図の状態から閉じた平面図である。
【７図】丸楔型掛り具に握り棒を有させた平面図である。
【８図】７図の状態から閉じた平面図である。
【９図】８図の側面図である。
【１０図】打込み具を丸パイプに装着させた斜視図であるが手は省略している。
【１１図】１０図の装着前の平面図である。
【１２図】１１図から閉じた平面図である。
【１３図】打込み具を逆さにして掛り具を打つ状態を示した側面図ある。
【１４図】曲がった部材を打込む場合の側面である。
【１５図】手作業で抜く場合の側面図である。
【１６図】建設機械で打込む場合の側面図である。
【１７図】建設機械の打込みバーを示した平面図である。
【１８図】Ｈ鋼を二片楔型掛り具を固着させた平面図である。
【１９図】１８図の側面図である。
【符号の説明】
１  丸楔型掛り具
２  丸楔
３  蝶番
４  傘棒
５  縦穴溝
６  管
７  落とし棒
８  丸パイプ
１０  角楔型掛り具
１１  角楔
１２  角パイプ
１３  角パイプ下部
２０  握り棒付き丸型掛り具
２１  握り棒
２２  バネ
３０  打込み具
３１  ウエート塊
３２  ウエート打ち部
３３  楔空間穴付きウエート塊
３４  楔空間穴
３５  軸止めビス
３６  蝶番軸
３７  蝶番管
３８  バネ
３９  バネ
４０  手
４２  曲がりパイプ
４３  地面
４４  座板
４５  柱
４６  スライドバー
４７  ワイヤー
４８  滑車
４９  ウインチ
５０  建設機械
５１  掛り具打ちバー
５２  ワイヤー
５３  人
５４  打込みバー
５５  フック
６０  二片楔型掛り具
６２  二片楔
６３  Ｈ鋼
【図１】
2004270422.tif 000003
【図２】
2004270422.tif 000004
【図３】
2004270422.tif 000005
【図４】
2004270422.tif 000006
【図５】
2004270422.tif 000007
【図６】
2004270422.tif 000008
【図７】
2004270422.tif 000009
【図８】
2004270422.tif 000010
【図９】
2004270422.tif 000011
【図１０】
2004270422.tif 000012
【図１１】
2004270422.tif 000013
【図１２】
2004270422.tif 000014
【図１３】
2004270422.tif 000015
【図１４】
2004270422.tif 000016
【図１５】
2004270422.tif 000017
【図１６】
2004270422.tif 000018
【図１７】
2004270422.tif 000019
【図１８】
2004270422.tif 000020
【図１９】
2004270422.tif 000021